(57)【要約】【課題】扉に配置される操作部の部品点数を減らすことで、コストダウンを図ることができ、厚み方向の削減による断熱厚確保の効果を得ることができる冷蔵庫を提供する。【解決手段】操作部２０（２１）は、一方の面としての表面４１には接触することで静電容量の変化を検出する静電接触回路部４３を有し、他方の面としての裏面４２には発光素子としてのＬＥＤ４４，４５を搭載している1つの基板４０と、基板４０の他方の面である裏面４２側を支持しており、発光素子としてのＬＥＤ４４，４５からの光Ｌを反射する光反射部６０，６１を有する基板支持部材５０と、を有し、基板４０には、光反射部６０，６１により反射された発光素子としてのＬＥＤ４４，４５の光Ｌを通して、扉３（４）の前方に導く貫通孔４８，４９が設けられている。【選択図】図２
2018128239.tif 000002
【特許請求の範囲】
【請求項１】
冷蔵庫本体と、前記冷蔵庫本体の前面開口部を開閉する扉と、前記扉の前面に設けられた操作部と、を備え、
前記操作部は、
一方の面には接触することで静電容量の変化を検出する静電接触回路部を有し、他方の面には発光素子を搭載している1つの基板と、
前記基板の前記他方の面側を支持しており、前記発光素子からの光を反射する光反射部を有する基板支持部材と、を有し、
前記基板には、前記光反射部により反射された前記発光素子の前記光を通して前記扉の前方に導く貫通孔が設けられていることを特徴とする冷蔵庫。
【請求項２】
前記光反射部は、前記発光素子の前記光を1回反射させた後に、前記光を、前記基板の前記貫通孔を通して前記扉の前方に導くことを特徴とする請求項１に記載の冷蔵庫。
【請求項３】
前記光反射部は、光遮蔽部を有し、前記発光素子は、前記光遮蔽部と前記光反射部により囲まれていることを特徴とする請求項１または２に記載の冷蔵庫。
【請求項４】
前記光反射部は、第１光反射面と第２光反射面を備え、前記第１光反射面は、前記発光素子の前記光を反射させた後に前記第２光反射面に導き、前記第２光反射面は、前記光を反射して前記基板の前記貫通孔を通して前記扉の前方に導くことを特徴とする請求項１に記載の冷蔵庫。
【請求項５】
前記基板の前記一方の面には、前記発光素子の前記光を透す被覆用の部材が配置されていることを特徴とする請求項１ないし４のいずれかに記載の冷蔵庫。
【請求項６】
冷蔵庫本体と、前記冷蔵庫本体の前面開口部を開閉する扉と、前記扉の前面に設けられ
た操作部と、を備え、
前記操作部は、
一方の面には接触することで静電容量の変化を検出する静電接触回路部を有し、他方の面には発光素子を搭載している1つの基板と、
前記基板を支持しており、前記発光素子からの光を反射する光反射部を有する基板支持部材と、を有し、
前記光反射部は、前記発光素子の前記光を乱反射させる乱反射面を有し、
前記基板には、前記光反射部により乱反射された前記発光素子の前記光を前記扉の前方に導く貫通孔が設けられていることを特徴とする冷蔵庫。
【請求項７】
前記基板の前記貫通孔の位置は、前記発光素子の位置から離してあることを特徴とする請求項６に記載の冷蔵庫。
【請求項８】
前記発光素子の位置は、前記基板の複数の前記貫通孔の間にあることを特徴とする請求項６または７に記載の冷蔵庫。
【請求項９】
前記発光素子の数は、前記貫通孔の数よりも少ないことを特徴とする請求項８に記載の冷蔵庫。
【請求項１０】
前記光反射部は、前記発光素子に対面する部分が平坦面になっている船底型の断面形状を有し、前記平坦面が前記乱反射面であることを特徴とする請求項６ないし９のいずれかに記載の冷蔵庫。
【請求項１１】
前記光反射部は、白系樹脂により作られており、前記光反射部の前記乱反射面は、光沢仕上げ処理されていることを特徴とする請求項１０に記載の冷蔵庫。
【請求項１２】
前記光反射部は、白系樹脂により作られており、前記光反射部の前記乱反射面は、シボによる荒れた面であることを特徴とする請求項１０に記載の冷蔵庫。
【発明の詳細な説明】
【技術分野】
【０００１】
本発明の実施の形態は、冷蔵庫に関する。
【背景技術】
【０００２】
冷蔵庫は、冷蔵庫の運転機能等を表示したり操作するために、操作部が貯蔵室の前面扉に設けられている。この操作部の表面は、使用者が触れる操作位置を表示する接触操作位置等は予め印字することで表示されており、使用者は接触操作位置等を目視で確認できた。しかし、最近では、冷蔵庫の外観デザインを向上するために、操作部には、接触操作位置等は予め印字して表示されていない。
【０００３】
このため、使用者が手を、操作部に近づけると、近接センサが手を検出して、ＬＥＤ（発光ダイオード）を光らせて、接触操作位置等を照明することで表示する構造を採用している。
【０００４】
特許文献1には、冷蔵庫の貯蔵室扉に配置される表示部が開示されている。この表示部は、２枚の基板と、２枚の基板を支持する板状の基板支持部材と、照明手段とを備えている。照明手段は、基板支持部材の傾斜部を有する壁面と対向する他の壁面寄りに配置されて、傾斜部は、照明手段から周囲へ広がって照明される光を、扉の前面板から扉の前方へ向かうように反射させるようになっている。
【０００５】
また、別の従来例を図１５に示している。図１５は、従来の操作部を示す分解斜視図である。この操作部は、貯蔵室の扉に配置される静電接触ユニットであり、カバー板２００と、第１基板２０１と、第２基板２０２と、基板支持板２０３から構成されている。
【０００６】
第２基板２０２は、複数個のＬＥＤ２０４を並べて搭載しており、第１基板２０１は、複数個の光透過用の孔２０５を有する。基板支持板２０３は、大きな長方形の孔２０６を有する。基板支持板２０３の表面側は、第１基板２０１を重ねて支持し、基板支持板２０３の裏面側は、第２基板２０２を重ねて支持する。
【０００７】
カバー板２００は、光透過性を有しており、カバー板２００は第１基板２０１の上に重ねて配置する。これにより、第２基板２０２のＬＥＤ２０４が発生する光は、基板支持板２０３の孔２０６を通り、第１基板２０１の対応する位置の光透過用の孔２０５を通って、カバー板２００から貯蔵室の扉の前方へ照射されるようになっている。
【先行技術文献】
【特許文献】
【０００８】
【特許文献１】特開２０１４−１２６３０４号
【発明の概要】
【発明が解決しようとする課題】
【０００９】
ところが、特許文献１に記載の表示部は、２枚の基板と、２枚の基板を支持する板状の基板支持部材を有しているので部品点数が多くなりコストダウンが図れない。また、２枚の基板と基板支持部材を重ねる方向の厚みがどうしても大きくなってしまう。
【００１０】
また、図１５に示す別の従来例では、同様にして、基板支持板２０３と、第１基板２０１と、第２基板２０２を重ねる構造であるので部品点数構が多くなりコストダウンが図れない。また、２枚の基板と基板支持部材を重ねる方向の厚みがどうしても大きくなってしまう。
【００１１】
本発明は、上記に鑑みてなされたもので、その目的とするところは、扉に配置される操作部の部品点数を減らすことで、コストダウンを図ることができ、厚み方向の削減による断熱厚確保の効果を得ることができる冷蔵庫を提供することにある。
【課題を解決するための手段】
【００１２】
本発明の実施の形態の冷蔵庫は、冷蔵庫本体と、前記冷蔵庫本体の前面開口部を開閉する扉と、前記扉の前面に設けられた操作部と、を備え、前記操作部は、一方の面には接触することで静電容量の変化を検出する静電接触回路部を有し、他方の面には発光素子を搭載している1つの基板と、前記基板の前記他方の面側を支持しており、前記発光素子からの光を反射する光反射部を有する基板支持部材と、を有し、前記基板には、前記光反射部により反射された前記発光素子の前記光を通して前記扉の前方に導く貫通孔が設けられている。
【００１３】
また、本発明の実施の形態の冷蔵庫は、冷蔵庫本体と、前記冷蔵庫本体の前面開口部を開閉する扉と、前記扉の前面に設けられた操作部と、を備え、前記操作部は、一方の面には接触することで静電容量の変化を検出する静電接触回路部を有し、他方の面には発光素子を搭載している1つの基板と、前記基板を支持しており、前記発光素子からの光を反射する光反射部を有する基板支持部材と、を有し、前記光反射部は、前記発光素子の前記光を乱反射させる乱反射面を有し、前記基板には、前記光反射部により乱反射された前記発光素子の前記光を前記扉の前方に導く貫通孔が設けられている。
【図面の簡単な説明】
【００１４】
【図１】本発明の第１実施形態に係わる冷蔵庫の全体を示す斜視図である。
【図２】図１に示す操作部のＡ−Ａ線における断面構造例を示す図である。
【図３】図２に示す操作部の基板支持部材の構造例を示す斜視図である。
【図４】本発明の第２実施形態の操作部の断面構造例を示す図である。
【図５】図４に示す操作部の基板支持部材の構造例を示す斜視図である。
【図６】本発明の第３実施形態の操作部の断面構造例を示す図である。
【図７】図６に示す操作部の基板支持部材の構造例を示す斜視図である。
【図８】本発明の第４実施形態に係わる冷蔵庫の全体を示す斜視図である。
【図９】図１に示す操作部のＡ−Ａ線における断面構造例を示す図である。
【図１０】図２に示す操作部の基板支持部材の構造例を示す斜視図である。
【図１１】図２の基板において、複数個の貫通孔と複数個のＬＥＤが配置されている例を示す正面図である。
【図１２】本発明の第５実施形態の操作部の断面構造例を示す図である。
【図１３】図５の基板において、複数個の貫通孔と複数個のＬＥＤが配置されている例を示す正面図である。
【図１４】本発明の第６実施形態の操作部の断面構造例を示す図である。
【図１５】従来例の操作部を示す分解斜視図である。
【発明を実施するための形態】
【００１５】
以下、図面を用いて、本発明の実施するための形態（以下、実施形態と称する）を説明する。
【００１６】
（第１実施形態）
図１は、本発明の第１実施形態に係わる冷蔵庫の全体を示す斜視図である。
【００１７】
図１に示す冷蔵庫１は、冷蔵庫本体２を有している。この冷蔵庫１の冷蔵庫本体２は、断熱性を有するキャビネットにより構成されていて、冷蔵庫本体２の内部には複数の貯蔵室が形成されている。貯蔵室としては、上から順に冷蔵室５、野菜室７が設けられ、この野菜室７の下には製氷室８と小冷凍室９が左右の並べて設けられ、最下部に主冷凍室１０が設けられている。
【００１８】
上部の冷蔵室５と野菜室７は、冷蔵温度帯の貯蔵室であり、例えば約３℃から５℃の温度に調整される。また、製氷室８と小冷凍室９と主冷凍室１０は、冷凍温度帯の貯蔵室であり、例えば約−２０℃前後の温度に調整される。冷蔵庫本体２には、図示しないが、冷蔵温度帯の貯蔵室を冷却するための冷蔵用冷却器と、冷凍温度帯の貯蔵室を冷却するための冷凍用冷却器とを含む冷凍サイクルが設けられている。
【００１９】
図１に示す貯蔵室としての冷蔵室５の前面には、冷蔵室５の前面開口部を開閉する左右の扉３，４が設けられている。左右の扉３，４は、観音開き式扉であり、左側の扉３の左端部が図示しないヒンジにより回動可能に取り付けられている。同様にして、右側の扉４の右端部が図示しないヒンジにより回動可能に取り付けられている。扉３，４の前面板３Ｆ，４Ｆは、例えば鋼板製であるが特に限定されない。
【００２０】
野菜室７、製氷室８、小冷凍室９、主冷凍室１０の各前面には、各前面開口部を開閉する引出し式の扉７a，８a，９a，１０aが設けられている。使用者が手指を入れて各扉を開くための取っ手３ｂ，４ｂ,７ｂ，８ｂ，９ｂ，１０ｂが、左右の扉３，４と引出し式の扉７a，８a，９a，１０aに、それぞれ設けられている。
【００２１】
図１に示すように、冷蔵庫本体２の上には、扉開放手段としての扉開放操作部１１，１２が設けられている。扉開放操作部１１，１２は、例えば電磁ソレノイドのような電動アクチュエータを採用できる。扉開放操作部１１，１２が動作することで、扉開放操作部１１，１２は、左右の扉３，４をそれぞれ自動的に押して開く。
【００２２】
なお、図１において、冷蔵庫本体２の左右方向（幅方向）は、Ｘ方向で示し、冷蔵庫本体２の奥行方向は、Ｙ方向で示し、冷蔵庫本体２の上下方向は、Ｚ方向で示している。
【００２３】
図１に示すように、冷蔵庫本体２は、冷蔵庫１の機能を操作できるとともに、冷蔵庫１の各種の機能状況を表示するための操作部２０，２１を有している。操作部２０，２１は、例えば左右の扉３，４の前面板３Ｆ，４Ｆに対して開口部３Ｒ，４Ｒを設けて、その開口部３Ｒ，４Ｒ内に設けられている。
【００２４】
この操作部２０，２１は、例えば好ましくは使用者が触れることで静電容量が変化するのを検出してオン信号を発生して点灯表示させることができる静電容量式接触センサを用いている静電接触ユニットである。操作部２０，２１は、操作表示部とも呼ぶことができる。
【００２５】
操作部２０，２１において冷蔵庫１の機能を操作する例としては、使用者が手指で操作部２０，２１を接触操作（タッチ操作）することで、左右の扉３，４をそれぞれ開扉操作させるための開扉スイッチである。開扉スイッチが操作されることで、それぞれ扉開放操作部１１，１２を動作させて、扉開放操作部１１，１２が左右の扉３，４をそれぞれ自動的に押して開くことができる。
【００２６】
また、操作部２０，２１において冷蔵庫１の機能を操作する例としては、冷凍、急速冷凍、冷蔵、製氷等の機能操作である。操作部２０，２１において冷蔵庫１の各種の機能状況を表示する例としては、冷凍、急速冷凍、冷蔵、製氷等の機能の状態を表示する。
【００２７】
なお、上述した操作部２０，２１は、左右の扉３，４をそれぞれ開扉操作させるための開扉スイッチ、機能操作スイッチ、機能操作の表示の役割を行うことができるが、操作部２０，２１は、開扉スイッチ、機能操作スイッチ、機能操作の表示の役割のすくなくとも１つを行うことができるようにしても良い。
【００２８】
図２は、図１に示す操作部２０のＡ−Ａ線における断面構造例を示す図である。図３は、図２に示す操作部２０の基板支持部材５０の構造例を示す斜視図である。
【００２９】
図１に示す左側の操作部２０の構造は、右側の操作部２１の構造と左右対称であるので、右側の操作部２１の構造の説明は、左側の操作部２０の構造例を説明することで、省略する。
【００３０】
図２と図３に示すように、操作部２０は、１枚の基板４０と、基板支持部材５０と、被覆用の部材７０を備えている。ただし、図３では、基板支持部材５０の構造例を示しているが、基板４０と被覆用の部材７０の図示は、省略している。
【００３１】
図２に示す１枚の基板４０は、使用者の手指の静電接触により静電接触入力が可能な静電接触回路部を有する例えば平板状で矩形の回路基板である。基板４０の一方の面としての表面４１には、静電接触回路部（静電タッチ回路部）４３が形成されている。静電接触回路部４３は、使用者が手指を接触することでその際の静電容量の変化を検出して、制御部１００に通知する。
【００３２】
基板４０の他方の面である裏面４２には、例えば複数個の発光素子としてのＬＥＤ（発光ダイオード）４４，４５が、Ｚ方向に沿って間隔をおいて、並べて搭載されている。図１に例示するように、ＬＥＤ４４，４５が、操作部２０，２１において、それぞれＺ方向に沿って間隔をおいて、並べて搭載されている。
【００３３】
図２に示すＬＥＤ４４，４５は、基板４０に対して９０度角度で配置して、ＬＥＤ４４，４５の光Ｌは、真横の方向、すなわち光Ｌは基板４０の裏面４２に対して平行に射出した後に、光反射部６０，６１により反射させている。
【００３４】
図２に示す静電接触回路部４３と各ＬＥＤ４４，４５は、制御部１００に電気的に接続されている。制御部１００は、図１に示す冷蔵庫本体２に配置されている。静電接触回路部４３は、使用者の手指の静電接触による静電接触入力を検出すると、接触入力信号を受ける。また、制御部１００は、例えば静電接触入力を検出すると、ＬＥＤ４４，４５の灯動作をさせる。
【００３５】
図２と図３に示す基板支持部材５０は、電気絶縁性を有する材料、例えばプラスチックにより作られている。基板支持部材５０は、ほぼ平板状であるが、基板はめ込み部５１と、取付突起部５２から５６と、光反射部６０，６１を有する。
【００３６】
光反射部６０，６１は、基板はめ込み部５１から延長して傾斜して形成されている。光反射部６０，６１は、図２と図３に示すように、Ｚ方向に沿って連続して形成されている。基板支持部材５０は、光反射部６０，６１の間には、長方形状の開口部６９を有している。光反射部６０は、複数のＬＥＤ４４の配列に対応してＺ方向に沿って形成され、光反射部６１は、複数のＬＥＤ４５の配列に対応してＺ方向に沿って形成されている。
【００３７】
図２に例示するように、基板支持部材５０は、扉３の前面板３Ｆの開口部３Ｒ内に配置されている。基板支持部材５０の基板はめ込み部５１は、基板支持部材５０の表面５７側において、上述した基板４０をはめ込んで固定する凹み部分である。基板はめ込み部５の凹み部分の深さＫは、基板４０の厚みに相当している。これにより、基板４０は、基板支持部材５０の基板はめ込み部５１にはめ込むことで取り付けて、基板４０の表面４１と基板支持部材５０とは、面一になっている。基板４０の裏面４２側は、例えば接着剤等により、基板はめ込み部５１に貼り付けて固定されている。
【００３８】
図２に示すように、取付突起部５２から５６が、基板支持部材５０の裏面５８側において、Ｙ方向に向けて平行に突出して設けられている。これらの取付突起部５２から５６は、ほぼＬ字型を有しており、操作部２０を、扉３の構造体側にはめ込むことで固定するために設けられている。これにより、操作部２０は、扉３に対して確実に固定できる。
【００３９】
図２に示す光反射部６０，６１は、基板支持部材５０の裏面５８側に突出して設けられている。光反射部６０，６１が基板４０のＬＥＤ４４，４５にそれぞれ対向する面には、ＬＥＤ４４，４５が写り込むミラー面が、塗布することで形成されているか、あるいは貼り付けることで形成されている。
【００４０】
光反射部６０，６１は、基板４０のＬＥＤ４４，４５の位置に対応して、それぞれ傾斜して設けられている。光反射部６０は、基板４０の配置方向であるＸ方向に対して、所定の傾斜角度θ、好ましくは４５度で傾けて設けられている。同様にして、光反射部６１は、基板４０の配置方向であるＸ方向に対して、所定の傾斜角度θ、好ましくは４５度で傾けて設けられている。光Ｌが光反射部６０，６１にそれぞれ入射する角度は、好ましくは４５度である。これらの光反射部６０，６１は、ミラー面を有しており、互いに近づくようにして傾斜しており、光反射部６０，６１の間には、隙間６２が設けられている。
【００４１】
基板４０は、光反射部６０，６１の内側の位置にそれぞれ、貫通孔４８，４９を有している。ＬＥＤ４４が発生する光Ｌは、光反射部６０で反射して、基板４０の貫通孔４８を通って、被覆用の部材７０を透過する。これにより、ＬＥＤ４４が発生する光Ｌは、扉３の前方であるＹ１方向に向けて照射される。同様にして、ＬＥＤ４５が発生する光Ｌは、光反射部６１で反射して、基板４０の貫通孔４９を通って、被覆用の部材７０を透過する。これにより、ＬＥＤ４４が発生する光Ｌは、扉３（４）の前方であるＹ１方向に向けて照射される。
【００４２】
このように、ＬＥＤ４４，４５の光Ｌは、それぞれ1回反射されてから基板４０の貫通孔４８を通って扉３（４）の前方であるＹ１方向に向けて照射される。このため、ＬＥＤの光を前方へ直接照射するのに比べて、ＬＥＤ４４，４５から基板４０の貫通孔４８，４９までの距離をかせげる。このため、光Ｌの拡がりを大きくすることができ、扉３（４）では、操作部２０（２１）は、光Ｌの濃淡を和らげて、柔らかい光Ｌを照らすことができる。
【００４３】
図２に示すように、被覆用の部材７０は、例えば透光性を有するプラスチック製のシート状の部材である。被覆用の部材７０は、上述したＬＥＤ４４，４５の発生する光Ｌを扉３の前面側に向けて透過させることができる。被覆用の部材７０は、透明材であったり、
外観デザイン上の価値を上げるために、冷蔵庫本体２の外板色に合わせて着色することができる。図２に示すように、被覆用の部材７０のＸ方向とＺ方向のサイズは、基板４０の
Ｘ方向とＺ方向のサイズとほぼ同じかやや大きい。
【００４４】
図２に示すように、被覆用の部材７０は、基板４０の表面４１と基板支持部材５０の表面５７に貼り付けられている。好ましくは被覆用の部材７０の表面と、扉３の前面板３Ｆ（４Ｆ）の表面とは、面一に設定されている。これにより、操作部２０（２１）が扉３（４）に配置されても、扉３（４）における段差をなくして、扉３（４）の外観デザイン上の価値を上げることができる。
【００４５】
このように、本発明の第１実施形態では、扉３における操作部２０の構造例と配置例は
、扉４における操作部２１の構造例と配置例と実質的に同じである。操作部２０（２１）
は、１枚の回路用の基板４０を用いており、従来のように複数の回路用の基板は用いてい
ない。このため、操作部２０（２１）自体のＹ方向についての厚みを減らすことができる
。また、操作部２０（２１）の部品点数を減らし、コストダウンを図ることができる。
【００４６】
（第２実施形態）
次に、本発明の第２実施形態を、図４と図５を参照して説明する。
【００４７】
図４は、本発明の第２実施形態の操作部２０の断面構造例を示す図である。図５は、図４に示す操作部２０の基板支持部材５０の構造例を示す斜視図である。
【００４８】
図４と図５に示す本発明の第２実施形態の操作部２０（２１）が、図２と図３に示す本発明の第１実施形態の操作部２０（２１）と異なるのは、光反射部６０，６１の形状であ
る。光反射部６０，６１の形状以外は実質的に同じであるので、同じ符号をつけて、説明を省略する。
【００４９】
図４に示すＬＥＤ４４，４５は、基板４０に対して９０度角度で配置して、ＬＥＤ４４，４５の光Ｌは、真横の方向、すなわち光Ｌは基板４０の裏面４２に対して平行に射出した後に、光反射部６０，６１により反射させている。
【００５０】
光反射部６０，６１は、図４と図５に示すように、Ｚ方向に沿って連続して形成されて
いる。光反射部６０は、複数のＬＥＤ４４の配列に対応してＺ方向に沿って形成され、光反射部６１は、複数のＬＥＤ４５の配列に対応してＺ方向に沿って形成されている。
【００５１】
図４と図５では、光反射部６０，６１は、光遮蔽部６０Ｈ、６１Ｈをそれぞれ備えている。光遮蔽部６０Ｈは、複数のＬＥＤ４４の配列に対応してＺ方向に沿って形成され、光遮蔽部６１Ｈは、複数のＬＥＤ４５の配列に対応してＺ方向に沿って形成されている。光遮蔽部６０Ｈは、図５に示すように、光反射部６０の先端部６０Ｂから基板４０の裏面４２に達している。この光遮蔽部６０Ｈは、Ｙ方向に沿って形成されており、ＬＥＤ４４が発生する光Ｌが、他方のＬＥＤ４５側に漏れないようにする役割を有する。
【００５２】
同様にして、光遮蔽部６１Ｈは、Ｙ方向に沿って形成されており、光遮蔽部６０Ｈと平行である。この光遮蔽部６１Ｈは、ＬＥＤ４５が発生する光Ｌが、一方のＬＥＤ４４側に漏れないようにする役割を有する。
【００５３】
このように、光反射部６０，６１には、それぞれ光遮蔽部６０Ｈ，６１Ｈが設けられていることにより、ＬＥＤ４４,４５が発生する光Ｌが、外部に漏れないようにして、しかもＬＥＤ４４,４５が発生する光Ｌが互いに干渉しないようにすることができる。このことから、光Ｌは、光量を減らすことなく、それぞれ貫通孔４８，４９を通って、Ｙ１方向に照射させることができる。従って、使用者が目視する光量が減るのを防げることから、操作部２０，２１の視認性を向上できる。また、光反射部６０，６１には、それぞれ光遮蔽部６０Ｈ，６１Ｈが設けられていることにより、外部からＬＥＤ４４,４５には埃等が入りにくい構造にすることができる。
【００５４】
（第３実施形態）
次に、本発明の第３実施形態を、図６と図７を参照して説明する。
【００５５】
図６は、本発明の第３実施形態の操作部２０の断面構造例を示す図である。図７は、図６に示す操作部２０の基板支持部材５０の構造例を示す斜視図である。
【００５６】
図６と図７に示す本発明の第３実施形態の操作部２０（２１）が、図２と図３に示す本発明の第１実施形態の操作部２０（２１）と異なるのは、光反射部８０，８１の形状である。光反射部８０，８１の形状以外は実質的に同じであるので、同じ符号をつけて、説明を省略する。
【００５７】
光反射部８０，８１は、図６と図７に示すように、Ｚ方向に沿って連続して形成されている。光反射部８０は、複数のＬＥＤ４４の配列に対応してＺ方向に沿って形成され、光反射部８１は、複数のＬＥＤ４５の配列に対応してＺ方向に沿って形成されている。
【００５８】
図６に示すように、光反射部８０は、第１光反射面８０Ａと第２光反射面８０Ｂを有する。光反射部８１は、第１光反射面８１Ａと第２光反射面８１Ｂを有する。
【００５９】
第１光反射面８０Ａと第２光反射面８０Ｂは、好ましくは９０度で接続され、第１光反射面８１Ａと第２光反射面８１Ｂも、好ましくは９０度で接続されている。
【００６０】
これにより、第１光反射面８０Ａは、ＬＥＤ４４の光Ｌを１回反射させた後に第２光反射面８０Ｂに導き、第２光反射面８０Ｂは、ＬＥＤ４４の光Ｌを2回目の反射をさせて基板４０の貫通孔４８を通して扉３（４）の前方（Ｙ１方向）に導くことができる。同様にして、第１光反射面８１Ａは、ＬＥＤ４５の光Ｌを１回反射させた後に第２光反射面８１Ｂに導き、第２光反射面８１Ｂは、ＬＥＤ４５の光Ｌを2回目の反射をさせて基板４０の貫通孔４９を通して扉３（４）の前方（Ｙ１方向）に導くことができる。
【００６１】
このように、ＬＥＤ４４，４５の光Ｌは、それぞれ2回反射させた後に、基板４０の貫通孔４８，４９を通じて、扉３（４）の前方（Ｙ１方向）に照射することができる。このため、ＬＥＤの光を前方へ直接照射するのに比べて、ＬＥＤ４４，４５から基板４０の貫通孔４８，４９までの距離を大きくかせげる。このため、光Ｌの拡がりを大きくすることができ、扉３（４）では、操作部２０（２１）は、光Ｌの濃淡を和らげて、柔らかい光Ｌを照らすことができる。
【００６２】
図６に示すように、ＬＥＤ４４,４５が、基板４０と光反射部８０，８１により囲まれている。これにより、ＬＥＤ４４が発生する光ＬとＬＥＤ４５が発生する光Ｌは、外部に漏れないようにして、光Ｌは、光量を減らすことなく、それぞれ貫通孔４８，４９を通って、Ｙ１方向に照射させることができる。従って、使用者が目視する光量が減るのを防げることから、操作部２０，２１の視認性を向上できる。
【００６３】
本発明の各実施形態の冷蔵庫1では、次のような効果がある。
【００６４】
各実施形態の冷蔵庫1では、ＬＥＤ４４,４５が発生する光Ｌは、基板４０の内側の領域で、光反射部６０，６１，８０，８１を用いて反射させることで、距離（光路長さ）をより長く確保することができる。このように、光Ｌは、光反射部６０，６１，８０，８１を利用することで、距離をかせぐことができることから、光Ｌの中心部の明るさと、光Ｌの周辺部の明るさとの間の濃淡を小さくして、光Ｌの濃淡を和らげることができる。
【００６５】
すなわち、光Ｌが基板４０の貫通孔４８，４９を通じて、扉３（４）の前方に照射される際に、光Ｌは、光反射部６０，６１，８０，８１を利用することで距離をかせげるので、光Ｌの拡がりを大きくすることができる。このため、扉３（４）では、操作部２０（２１）は、光Ｌの濃淡を和らげて、扉３（４）の前方に向けて柔らかい光Ｌを照らすことができる。これに対して、光が、反射部を用いずに、貫通孔を通じて直接扉の前方に照射されると、光の拡がりが小さくなってしまうので、光Ｌの濃淡を和らげられない。
【００６６】
特に、図６に示す第３実施形態では、ＬＥＤ４４，４５の光Ｌは、複数回反射されることで、ＬＥＤ４４，４５から基板４０の貫通孔４８，４９までの距離をかなりかせげる。このため、光Ｌの拡がりを大きくすることができ、扉３（４）では、操作部２０（２１）は、光Ｌの濃淡を和らげて、柔らかい光Ｌを照らすことができる。
【００６７】
ＬＥＤ４４，４５は、基板４０に対して傾斜して配置することもできる。基板４０について角度を付いたＬＥＤ４４．４５と光反射部により、光Ｌは、まっすぐに飛ばす。
【００６８】
図２に示すＬＥＤ４４，４５と、図４に示すＬＥＤ４４，４５は、基板４０に対して９０度角度で配置して、光Ｌは真横の方向、すなわち光Ｌは基板４０の裏面４２に対して平行に射出した後に、光反射部６０，６１により反射させている。これにより、光Ｌは、１回の反射で、基板４０の貫通孔４８，４９から出せる。
【００６９】
光Ｌが光反射部に入射する角度は、４５度以下にすることが好ましい。この入射する角度が小さければ、１回の反射でもほぼまっすぐの光Ｌを出せる。
【００７０】
基板４０から光反射部までの距離は、８ｍｍ以下にすることが好ましい。また、光反射部から基板４０の貫通孔４８，４９までの距離は、８ｍｍ以下にすることが好ましい。
【００７１】
ＬＥＤの光Ｌが、冷蔵庫１の前面に対してまっすぐではなく、少し上向きに角度をつけて基板４０の貫通孔４８，４９を通じて出力させることができる。これにより、操作部２０，２１は、扉３（４）の比較的下の位置にあるが、操作部２０，２１から下向きの光がでると、使用者は光の発光状態を確認しづらい可能性がある。このため、光Ｌは、水平方向よりは少し上向きに出すことが望ましい。
【００７２】
ＬＥＤと光反射部は、上下方向にずれた位置関係にあり、ＬＥＤよりも光反射部の方が、上に位置するようにする。光Ｌは上向きに飛ぶことになる。
【００７３】
好ましくは、光反射部６０，６１，８０，８１の反射面は、重力方向であるＺ方向について上向き以外の向きにする。これにより、仮に、埃が入ったとしても、光反射部６０，
６１，８０，８１の反射面には埃が堆積しない。
【００７４】
好ましくは、光反射部６０，６１，８０，８１の反射面は、基板４０の裏面４２側に向くように設定されている。これにより、作業者が、基板支持部材５０に対して基板４０を組み付ける際に、作業者が誤って光反射部６０，６１，８０，８１の反射面に触る心配がない。
【００７５】
好ましくは、光反射部６０，６１，８０，８１は、基板支持部材５０の成形時に、一体に成形、加工する。これにより、光反射部を基板支持部材に後付けで取り付ける場合に比べて、基板支持部材５０における光反射部６０，６１，８０，８１の成形角度にバラつきが出にくい。
【００７６】
好ましくは、基板４０の裏面４２（ＬＥＤ４４，４５の実装面）側と対向する基板支持部材５０の凹部の内側に、光反射部６０，６１，８０，８１のミラー面加工を行う。すなわち、基板支持部材５０において基板４０を組み付ける凹み部の内側に、部分的にミラー面加工を行っている。
【００７７】
各ＬＥＤ４４，４５からの光Ｌは、光反射部により例えば２つに分けて見せるようにしてもよい。この場合には、例えば、光Ｌは、光反射部６０，６１，８０，８１のミラー面を歪ませることで長く形成する。
【００７８】
上述したように、本発明の実施形態の冷蔵庫1は、冷蔵庫本体２と、冷蔵庫本体２の前面開口部を開閉する扉３（４）と、扉３（４）の前面に設けられた操作部２０（２１）と、を備える。操作部２０（２１）は、一方の面としての表面４１には接触することで静電容量の変化を検出する静電接触回路部４３を有し、他方の面としての裏面４２には発光素子としてのＬＥＤ４４，４５を搭載している1つの基板４０と、基板４０の他方の面である裏面４２側を支持しており、発光素子としてのＬＥＤ４４，４５からの光Ｌを反射する光反射部６０，６１を有する基板支持部材５０と、を有する。基板４０には、光反射部６０，６１により反射された発光素子としてのＬＥＤ４４，４５の光Ｌを通して、扉３（４）の前方に導く貫通孔４８，４９が設けられている。
【００７９】
これにより、基板としては複数枚ではなく、１つの基板４０を用いるだけであり、扉３（４）に配置される操作部２０（２１）の部品点数を減らすことで、コストダウンを図ることができる。また、1つの基板４０を用いるだけなので、厚み方向の削減による断熱厚確保の効果を得ることができる。
【００８０】
図２に例示するように、光反射部６０，６１は、発光素子であるＬＥＤ４４，４５の光Ｌを１回反射させた後に、光Ｌを、基板４０の貫通孔４８，４９を通して扉３（４）の前方に導く。
【００８１】
これにより、ＬＥＤ４４，４５の光Ｌは、１回の反射をすることで、光Ｌは、基板４０の貫通孔４８，４９を通して扉３（４）の前方に導かれる。従って、光Ｌの光路は、基板４０の貫通孔４８，４９を通る前に距離をかせげるので、光Ｌの拡がりを大きくすること
ができる。このため、扉３（４）では、操作部２０（２１）は、光Ｌの濃淡を和らげて、扉３（４）の前方に向けて柔らかい光Ｌを照らすことができる。
【００８２】
図４に例示するように、光反射部６０，６１は、光遮蔽部６０Ｈ、６１Ｈを有し、発光素子としてのＬＥＤ４４，４５は、光遮蔽部６０Ｈ，６１Ｈと光反射部６０，６１により囲まれている。
【００８３】
これにより、ＬＥＤ４４,４５が発生する光Ｌが、外部に漏れないようにして、しかもＬＥＤ４４,４５が発生する光Ｌが互いに干渉しないようにすることができる。このことから、光Ｌは、光量を減らすことなく、それぞれ貫通孔４８，４９を通って、Ｙ１方向に照射させることができる。従って、使用者が目視する光量が減るのを防げることから、操作部２０，２１の視認性を向上できる。
【００８４】
図６に例示するように、光反射部８０，８１は、第１光反射面８０Ａ，８１Ａと第２光反射面８０Ｂ，８１Ｂを備え、第１光反射面８０Ａ，８１Ａは、ＬＥＤ４４，４５の光Ｌを１回反射させた後に第２光反射面８０Ｂ，８１Ｂにそれぞれ導き、第２光反射面８０Ｂ，８１Ｂは、光Ｌを反射して基板４０の貫通孔４８，４９を通して扉３（４）の前方に導く。
【００８５】
これにより、ＬＥＤ４４，４５の光Ｌは、第1光反射面８０Ａ，８１Ａで1回反射した後、第２光反射面８０Ｂ，８１Ｂで２回目の反射をすることで、光Ｌは、基板４０の貫通孔４８，４９を通して扉３（４）の前方に導かれる。従って、光Ｌの光路は、基板４０の貫通孔４８，４９を通る前に距離をかせげるので、光Ｌの拡がりを大きくすることができる。このため、扉３（４）では、操作部２０（２１）は、光Ｌの濃淡を和らげて、扉３（４
）の前方に向けて柔らかい光Ｌを照らすことができる。
【００８６】
図２、図４そして図６に例示するように、基板４０の一方の面としての表面４１には、ＬＥＤ４４．４５の光Ｌを透す被覆用の部材７０が配置されている。
【００８７】
これにより、被覆用の部材７０は、基板４０の表面４１の静電接触回路部４３を覆いながら、扉３（４）の外観デザイン上の見栄えを良くすることができる。
【００８８】
（第４実施形態）
次に、図８から図１１を参照して、本発明の第４実施形態を説明する。
【００８９】
図８は、本発明の第４実施形態に係わる冷蔵庫の全体を示す斜視図である。図８に示す冷蔵庫１は、図1に示す第1実施形態の冷蔵庫１とはほぼ同じであるが、図８に示す操作部２０，２１の構造が異なり、ＬＥＤ４４，４５の配置数等が異なる。
【００９０】
図９は、図８に示す操作部２０のＡ−Ａ線における断面構造例を示す図である。図１０は、図２に示す操作部２０の基板支持部材５０の構造例を示す斜視図である。
【００９１】
図８に示す左側の操作部２０の構造は、右側の操作部２１の構造と左右対称であるので、右側の操作部２１の構造の説明は、左側の操作部２０の構造例を説明することで代表して、省略する。
【００９２】
図９と図１０に示すように、操作部２０は、１枚の基板４０と、基板支持部材５０と、光反射部１６０と、被覆用の部材７０を備えている。ただし、図１０では、基板支持部材５０の構造例を示しているが、基板４０と被覆用の部材７０の図示は、省略している。
【００９３】
図９に示す１枚の基板４０は、使用者の手指の静電接触により静電接触入力が可能な静電接触回路部を有する例えば平板状で矩形の回路基板である。基板４０の一方の面としての表面４１には、静電接触回路部（静電タッチ回路部）４３が形成されている。静電接触回路部４３は、使用者が手指を接触することでその際の静電容量の変化を検出して、制御部１００に通知する。
【００９４】
基板４０の他方の面である裏面４２には、例えば複数個の発光素子としてのＬＥＤ（発光ダイオード）４４，４５が、Ｚ方向に沿って間隔をおいて、並べて搭載されている。図８に例示するように、ＬＥＤ４４，４５が、操作部２０，２１において、それぞれＺ方向に沿って間隔をおいて、並べて搭載されている。
【００９５】
図９に示すＬＥＤ４４，４５は、基板４０の裏面４２に対して配置することで、ＬＥＤ４４，４５の光Ｌは、基板４０の裏面４２において、光反射部１６０に向けて射出した後に、光反射部１６０により乱反射されるようになっている。
【００９６】
図９に示す静電接触回路部４３と各ＬＥＤ４４，４５は、制御部１００に電気的に接続されている。制御部１００は、図８に示す冷蔵庫本体２に配置されている。静電接触回路部４３は、使用者の手指の静電接触による静電接触入力を検出すると、接触入力信号を受ける。また、制御部１００は、例えば静電接触入力を検出すると、ＬＥＤ４４，４５の点灯動作をさせる。
【００９７】
図９と図１０に示す基板支持部材５０は、電気絶縁性を有する材料、例えばプラスチックにより作られている。基板支持部材５０は、ほぼ平板状であるが、基板はめ込み部５１Ａ，５１Ｂと、取付突起部５２，５３，５５，５６を有する。
【００９８】
図９に示す光反射部１６０は、例えば好ましくは白色系の樹脂により作られている。光反射部１６０は、本体部分１６１と、縁部分１６２，１６３を有している。縁部分１６２，１６３は、本体部分１６１からＸ―Ｚ平面に沿って形成されている。縁部分１６２，１６３が、基板支持部材５０の基板はめ込み部５１Ａ，５１Ｂに、それぞれはめ込まれることで、光反射部１６０は、基板支持部材５０に固定されている。
【００９９】
図９に例示するように、基板支持部材５０は、扉３の前面板３Ｆの開口部３Ｒ内に配置されている。基板支持部材５０の基板はめ込み部５１Ａ，５１Ｂは、基板支持部材５０の表面５７側において、上述した基板４０をはめ込んで固定する凹み部分を有する。基板はめ込み部５１Ａの凹み部分の深さＫは、基板４０の厚みに相当している。
【０１００】
これにより、基板４０は、基板支持部材５０の基板はめ込み部５１Ａにはめ込むことで取り付けて、基板４０の表面４１と基板支持部材５０とは、面一になっている。基板４０の裏面４２側は、例えば接着剤等により、基板はめ込み部５１Ａに貼り付けて固定されている。
【０１０１】
図９に示すように、取付突起部５２，５３，５５，５６が、基板支持部材５０の裏面側において、Ｙ方向に向けて平行に突出して設けられている。これらの取付突起部５２，５３，５５，５６は、ほぼＬ字型を有しており、操作部２０を、扉３の構造体側にはめ込むことで固定するために設けられている。これにより、操作部２０は、扉３に対して確実に固定できる。
【０１０２】
図９に示すように、基板４０は、光反射部１６０に対面する位置に、複数個の貫通孔４８，４９を有している。光反射部１６０の本体部分１６１は、基板支持部材５０の裏面側へＹ方向に突出するように膨らむようにして設けられているが、本体部分１６１は、基板４０と平行であり、Ｘ−Ｚ平面に沿っている平坦な面である。本体部分１６１は、基板４０の複数個の貫通孔４８，４９と基板４０の裏面４２側に配置されている複数個のＬＥＤ４４，４５を覆っている。
【０１０３】
図９に示すように、基板４０の複数個の貫通孔４８は、基板４０の裏面４２の複数個のＬＥＤ４４の横の位置に離して形成されている。同様にして、基板４０の複数個の貫通孔４９は、基板４０の裏面４２の複数個のＬＥＤ４５の横の位置に離して形成されている。
【０１０４】
図１１は、基板４０において、複数個の貫通孔４８，４９と複数個のＬＥＤ４４，４５が配置されている例を示す正面図である。
【０１０５】
図１１に示すように、複数個の貫通孔４８，４９は、Ｚ方向に沿って、同じ間隔をおいて直列にそれぞれ配列されている。同様にして、複数個のＬＥＤ４４，４５は、複数個の貫通孔４８，４９の位置にそれぞれ対応して、同じ間隔をおいて直列に配列されている。貫通孔４８は、対応する隣のＬＥＤ４４の位置からは、Ｙ方向関して外側へ離して形成されている。同様にして、貫通孔４９は、対応する隣のＬＥＤ４５の位置からは、Ｙ方向関して外側へ離して形成されている。
【０１０６】
図９に戻ると、光反射部１６０の内面は、ＬＥＤ４４，４５の光Ｌを、例えば四方八方に向けて乱反射させるための乱反射面９０である。光反射部１６０は、好ましくはほぼ船底型の断面形状を有している。光反射部１６０の本体部分１６１の内面は、平坦面９１と、曲面部９２，９３を有する。
【０１０７】
平坦面９１は、ＬＥＤ４４，４５と貫通孔４８，４９の位置に対面している部分であり、Ｘ−Ｚ平面に平行である。曲面部９２，９３は、平坦部９１の両端部分であり、例えば１／４円形断面形状を有している。平坦面９１と曲面部９２，９３の内面は、ＬＥＤ４４，４５の光Ｌを乱反射させるための乱反射面９０になっている。曲面部９２，９３は、例えば断面で見て放物線形状であっても良い
このように、光反射部１６０の乱反射面９０は、断面で見て凸形状ではなく、平坦面９１を有する形状を採用しているのは、Ｙ方向に関する操作部２０（２１）の厚みをできる限り小さくするためである。
【０１０８】
これにより、操作部２０（２１）のＹ方向に関する厚みをできる限り減らすことから、操作部２０（２１）の厚み方向の削減により、扉３（４）内には、その分だけ断熱材量を増やすことができるので、断熱厚確保の効果を得ることができる。
【０１０９】
図９に示す光反射部１６０は、上述したように白系樹脂により作られている。光反射部１６０の乱反射面９０の平坦面９１と曲面部９２，９３の内面は、好ましくは光沢仕上げ処理されている。例えば、光反射部１６０の乱反射面９０の平坦面９１と曲面部９２，９３は、メッキ処理等の光沢処理ではなく、ツルツルになるように鏡面状の光沢仕上げ処理が施されている。これにより、ＬＥＤ４４，４５の光Ｌは乱反射させることができる。
【０１１０】
しかしこれに限らず、光反射部１６０の乱反射面９０の平坦面９１と曲面部９２，９３は、シボによる荒れた面に形成してもよい。これにより、ＬＥＤ４４，４５の光Ｌは乱反射させることができる。
【０１１１】
図９に示すように、ＬＥＤ４４が発生する光Ｌは、光反射部１６０の乱反射面９０の平坦面９１と曲面部９２，９３で乱反射して、基板４０の貫通孔４８を通って、被覆用の部材７０を透過する。同様にして、ＬＥＤ４５が発生する光Ｌは、光反射部１６０の乱反射面９０の平坦面９１と曲面部９２，９３の内面で乱反射して、基板４０の貫通孔４９を通って、被覆用の部材７０を透過する。
【０１１２】
従って、ＬＥＤ４４，４５が発生する光Ｌは、扉３の前方であるＹ１方向に向けて拡散または分散した状態で照射される。
【０１１３】
これにより、好ましくは光学素子が、光の集中するＬＥＤ４４，４５であっても、光Ｌが集中してしまうことで、図８に示す操作部２０（２１）において光の明暗がはっきりしてしまう現象である、いわゆる目玉感を少なくするか無くすことができる。
【０１１４】
Ｙ１方向へ向かう光Ｌの拡がりを大きくすることができるので、扉３（４）の操作部２０（２１）は、光Ｌの濃淡を和らげて、柔らかい光Ｌを照らすことから、いわゆる目玉感を防止して、操作部２０（２１）の高級感を醸し出すことができる。
【０１１５】
また、ＬＥＤ４４，４５の光Ｌは、それぞれ光反射部１６０において乱反射されてから基板４０の貫通孔４８を通って扉３（４）の前方であるＹ１方向に向けて照射される。このため、ＬＥＤの光を前方へ直接照射するのに比べて、ＬＥＤ４４，４５から基板４０の貫通孔４８，４９までの距離をかせげる。
【０１１６】
このため、光Ｌの拡がりを大きくすることができ、扉３（４）の操作部２０（２１）は、光Ｌの濃淡を和らげて、より柔らかい光Ｌを照らすことができる。操作部２０（２１）では、ＬＥＤ４４，４５は、柔らかい光Ｌを照らすことができるので、操作部２０（２１）において照明を行う際の高級感を演出して、冷蔵庫１自体の高級感を高めることができる。
【０１１７】
図９に示すように、被覆用の部材７０は、例えば透光性を有するプラスチック製のシート状の部材である。被覆用の部材７０は、上述した貫通孔４８，４９を通った光Ｌを、扉３の前面側に向けて透過させることができる。被覆用の部材７０は、透明材であったり、外観デザイン上の価値を上げるために、冷蔵庫本体２の外板色に合わせて着色することができる。図９に示すように、被覆用の部材７０のＸ方向とＺ方向のサイズは、基板４０のＸ方向とＺ方向のサイズとほぼ同じかやや大きい。
【０１１８】
図９に示すように、被覆用の部材７０は、基板４０の表面４１と基板支持部材５０の表面５７に貼り付けられている。好ましくは被覆用の部材７０の表面と、扉３の前面板３Ｆ（４Ｆ）の表面とは、面一に設定されている。これにより、操作部２０（２１）が扉３（４）に配置されても、扉３（４）における段差をなくして、扉３（４）の外観デザイン上の価値を上げることができる。
【０１１９】
本発明の第４実施形態の冷蔵庫１では、扉３における操作部２０の構造例と配置例は、扉４における操作部２１の構造例と配置例と実質的に同じである。操作部２０（２１）は、１枚の回路用の基板４０を用いており、従来のように複数の回路用の基板は用いていない。このため、操作部２０（２１）自体のＹ方向についての厚みを減らすことができる。また、操作部２０（２１）の部品点数を減らし、コストダウンを図ることができる。厚み方向の削減により、扉３（４）内には、その分だけ断熱材量を増やすことができるので、断熱厚確保の効果を得ることができる。
【０１２０】
（第５実施形態）
次に、本発明の第５実施形態を、図１２と図１３を参照して説明する。
【０１２１】
図１２は、本発明の第５実施形態の操作部２０の断面構造例を示す図である。図１３は、図１２に示す基板４０において、複数個の貫通孔４８，４９と複数個のＬＥＤ９４が配置されている例を示す正面図である。
【０１２２】
図１２と図１３に示す本発明の第５実施形態の操作部２０（２１）が、図９と図１０に示す本発明の第４実施形態の操作部２０（２１）と異なるのは、発光素子であるＬＥＤ９４の配置数と配置位置である。ＬＥＤ９４以外の部分は実質的に同じであるので、同じ符号をつけて、説明を省略する。
【０１２３】
図１２に示す複数個のＬＥＤ９４は、図１３に例示するように、複数個の貫通孔４８，４９は、Ｚ方向に沿って、同じ間隔をおいて直列にそれぞれ配列されている。同様にして、複数個の１列のＬＥＤ９４は、複数個の貫通孔４８，４９の間の位置において、Ｚ方向に関して少しずれた位置に、同じ間隔をおいて直列に配列されている。
【０１２４】
この配列例では、１列の複数個のＬＥＤ９４は、１列の複数個の貫通孔４８と１列の複数個の貫通孔４９の中央の位置に離して配置されている。ＬＥＤ９４の数は、貫通孔４８，４９の数に比べて、少ない。
【０１２５】
このように、第５実施形態におけるＬＥＤ９４の配置数が、第４実施形態におけるＬＥＤ４４，４５の配置数に比べて少ない。しかし、各ＬＥＤ９４の発光量を、例えば５０％から１００％に上げることにより、ＬＥＤ９４の配置数が少なくても、操作部２０（２１）において貫通孔４８，４９から導出される光Ｌの光量を十分に確保することができる。
【０１２６】
１つのＬＥＤ９４の光Ｌは、乱反射された後に、基板４０においてＬＥＤ９４から離れた位置にある２つの貫通孔４８，４９を通ることで、ＬＥＤの数を減らしても、操作部２０（２１）の照明を十分に行うことができる。ＬＥＤ９４の配置数を減らすことにより、操作部２０（２１）における部品点数の削減とコストダウンを図ることができる。
【０１２７】
図１２に示すように、複数個の１列のＬＥＤ９４が発生する光Ｌは、光反射部１６０の乱反射面９０の平坦面９１と曲面部９２，９３で乱反射して、基板４０の貫通孔４８を通って、被覆用の部材７０を透過する。
【０１２８】
これにより、ＬＥＤ９４が発生する光Ｌは、乱反射した状態で、貫通孔４８から扉３（４）の前方であるＹ１方向に向けて照射される。このため、光が集中するＬＥＤ９４であっても、光Ｌが集中してしまうことで、操作部２０（２１）において光の明暗がはっきりしてしまう現象である、いわゆる目玉感を少なくしたり無くすことができる。Ｙ１方向へ向かう光Ｌの拡がりを大きくすることができるので、扉３（４）の操作部２０（２１）は、光Ｌの濃淡を和らげて、柔らかい光Ｌを照らすことで、いわゆる目玉感を防止して、高級感を醸し出すことができる。
【０１２９】
また、ＬＥＤ９４の光Ｌは、それぞれ光反射部１６０において乱反射されてから基板４０の貫通孔４８を通って扉３（４）の前方であるＹ１方向に向けて照射される。このため、ＬＥＤの光を前方へ直接照射するのに比べて、ＬＥＤ９４から基板４０の貫通孔４８，４９までの距離をかせげる。光Ｌの拡がりを大きくすることができ、扉３（４）の操作部２０（２１）は、光Ｌの濃淡を和らげて、さらに柔らかい光Ｌを照らすことができる。
【０１３０】
このように、操作部２０（２１）では、柔らかい光Ｌを照らすことができるので、操作部２０（２１）において照明を行う際の高級感を演出することができ、冷蔵庫１自体の高級感を高めることができる。
【０１３１】
本発明の第５実施形態の冷蔵庫１では、扉３における操作部２０の構造例と配置例は、扉４における操作部２１の構造例と配置例と実質的に同じである。操作部２０（２１）は、１枚の回路用の基板４０を用いており、従来のように複数の回路用の基板は用いていない。このため、操作部２０（２１）自体のＹ方向についての厚みを減らすことができる。また、操作部２０（２１）の部品点数を減らし、コストダウンを図ることができる。厚み方向の削減により、扉３（４）内には、その分だけ断熱材量を増やすことができるので、断熱厚確保の効果を得ることができる。
【０１３２】
（第６実施形態）
次に、本発明の第６実施形態を、図１４を参照して説明する。
【０１３３】
図１４は、本発明の第６実施形態の操作部２０の断面構造例を示す図である。図１４に示す本発明の第６実施形態の操作部２０（２１）が、図９と図１０に示す本発明の第４実施形態の操作部２０（２１）と異なるのは、光反射部１８０の形状である。光反射部１８０の形状以外は実質的に同じであるので、同じ符号をつけて、説明を省略する。
【０１３４】
光反射部１８０は、例えば好ましくは白色系の樹脂により作られている。光反射部１８０は、ＬＥＤ４４，４５に対面する部分が球面になっている半球型の断面形状を有している。操作部２０（２１）のＹ方向の厚みについて、特に制限がない時には、図１４に例示するように、光反射部１８０は、断面半円形状のものを採用することができる。光反射部１８０の球面の内面が、ＬＥＤ４４，４５の光Ｌを乱反射させるための乱反射面１８３である。
【０１３５】
このように、半球型の光反射部１８０は、本体部分１８５と、縁部分１８１，１８２を有している。縁部分１８１，１８２は、本体部分１８５からＸ方向に延長して形成されている。縁部分１８１，１８２は、基板支持部材５０の基板はめ込み部５１Ａ，５１Ｂにはめ込まれることで、基板支持部材５０に対して固定されている。
【０１３６】
光反射部１８０の乱反射面１８３は、好ましくは光沢仕上げ処理されている。例えば、乱反射面１８３は、メッキ処理等の光沢処理ではなく、ツルツルになるように鏡面状の光沢仕上げ処理が施されている。あるいは、乱反射面１８３は、シボによる荒れた面に形成してもよい。
【０１３７】
図１４に示すように、ＬＥＤ４４が発生する光Ｌは、乱反射面１８３で乱反射して、基板４０の貫通孔４８を通って、被覆用の部材７０を透過する。同様にして、ＬＥＤ４５が発生する光Ｌは、乱反射面１８３で乱反射して、基板４０の貫通孔４９を通って、被覆用の部材７０を透過する。これにより、ＬＥＤ４４，４５が発生する光Ｌは、扉３の前方であるＹ１方向に向けて拡散して照射される。
【０１３８】
上述したように、本発明の第４実施形態から第６実施形態の冷蔵庫1は、冷蔵庫本体２と、冷蔵庫本体２の前面開口部を開閉する扉３（４）と、扉３（４）の前面に設けられた操作部２０（２１）を備える。操作部２０（２１）は、一方の面である表面４１には接触することで静電容量の変化を検出する静電接触回路部４３を有し、他方の面である裏面４２には発光素子としてのＬＥＤ４４，４５，９４を搭載している1つの基板４０と、基板４０を支持しており、ＬＥＤ４４，４５，９４からの光Ｌを反射する光反射部１６０，１８０を有する基板支持部材５０を有する。
【０１３９】
光反射部１６０，１８０は、ＬＥＤ４４，４５，９４の光Ｌを乱反射させる乱反射面９０，１８３を有し、基板４０には、光反射部１６０，１８０の乱反射面９０，１８３により乱反射されたＬＥＤ４４，４５，９４の光Ｌを扉３（４）の前方に導く貫通孔４８，４９が設けられている。
【０１４０】
これにより、1つの基板４０を用いるだけで済むので、２つ以上の基板を用いるのに比べて、扉に配置される操作部３（４）の部品点数を減らすことで、コストダウンを図ることができ、厚み方向の削減による断熱厚確保の効果を得ることができる。しかも、ＬＥＤ４４，４５，９４のような発光素子の光Ｌは、光反射部１６０，１８０により乱反射されてから基板４０の貫通孔４８，４９を通して扉３（４）の前方に導くことができるので、ＬＥＤ４４，４５，９４の光Ｌがそのまま直接貫通孔から導かれない。
【０１４１】
すなわち、発光素子の光が直接目に入らないようにすることで、操作部２０（２１）において生じるいわゆるＬＥＤの光により生じる目玉感が少なくなるか無くすことができる。このため、操作部２０（２１）において照明を行う際に、高級感を演出することができる。
【０１４２】
光反射部１６０は、発光素子に対面する部分が平坦面９１になっている船底型の断面形状を有し、平坦面９１が乱反射面９０である。これにより、乱反射面９０は平坦面９１であるので、凸型の乱反射面を用いるのに比べて、操作部３（４）の厚み方向（Ｙ方向）の寸法をできる限り小さくできる。操作部２０（２１）のＹ方向に関する厚みをできる限り減らすことができるので、厚み方向の削減により、扉３（４）内には、さらにその分だけ断熱材量を増やすことができ、断熱厚確保の効果を得ることができる。
【０１４３】
図１４に例示するように、光反射部１８０は、ＬＥＤ４４，４５に対面する部分が球面になっている半球型の断面形状を有し、球面の内面が乱反射面８３である。これにより、操作部３（４）の厚み方向（Ｙ方向）の寸法について、特に制限がない場合には、この光反射部１８０の形状が適用できる。
【０１４４】
光反射部１６０，１８０は、白系樹脂により作られており、光反射部の乱反射面は、光沢仕上げ処理されている。これにより、光反射部１６０，１８０は、発光素子であるＬＥＤの光Ｌを乱反射させた後に、基板４０の貫通孔４８，４９を通すことで、光が集中するＬＥＤ４４，４５，９４であっても、光が集中してしまう現象である、操作部２０（２１）におけるいわゆる目玉感を無くすことができる。
【０１４５】
Ｙ１方向へ向かう光Ｌの拡がりを大きくすることができるので、扉３（４）の操作部２０（２１）は、光Ｌの濃淡を和らげて、柔らかい光Ｌを照らすことで、いわゆる目玉感を防止して、高級感を醸し出すことができる。
【０１４６】
光反射部１６０，１８０は、白系樹脂により作られており、光反射部１６０，１８０の乱反射面は、シボによる荒れた面である。これにより、光反射部は、発光素子であるＬＥＤの光Ｌを乱反射させた後に、基板４０の貫通孔４８，４９を通すことで、光が集中するＬＥＤ４４，４５であっても、光Ｌが集中してしまう現象である、操作部２０（２１）に  おけるいわゆる目玉感を無くすことができる。
【０１４７】
Ｙ１方向へ向かう光Ｌの拡がりを大きくすることができるので、扉３（４）の操作部２０（２１）は、光Ｌの濃淡を和らげて、柔らかい光Ｌを照らすことで、高級感を醸し出すことができる。
【０１４８】
光反射部１６０，１８０は、ＬＥＤ４４，４５、９４の光を反射させた後に、光Ｌを、基板４０の貫通孔４８，４９を通して扉３（４）の前方に導く。これにより、ＬＥＤの光を前方へ直接照射するのに比べて、ＬＥＤ４４，４５，９４から基板４０の貫通孔４８，４９までの距離をかせげる。光Ｌの拡がりを大きくすることができ、扉３（４）の操作部２０（２１）は、光Ｌの濃淡を和らげて、柔らかい光Ｌを照らすことができる。
【０１４９】
基板４０の一方の面である表面４１には、ＬＥＤ４４，４５、９４の光Ｌを透す被覆用の部材７０が配置されている。これにより、被覆用の部材７０は、基板４０の表面４１の静電接触回路部４３を覆いながら、扉３（４）の外観デザイン上の見栄えを良くすることができる。
【０１５０】
基板４０の貫通孔４８，４９の位置は、発光素子であるＬＥＤ４４，４５、９４の位置から離してある。これにより、乱反射された光Ｌは、離れた位置の貫通孔４８，４９から扉３（４）の前方に導出できるので、いわゆる目玉感を減少するか無くすことができる。
【０１５１】
図１２に示すように、発光素子であるＬＥＤ９４の位置は、基板４０の複数の貫通孔４８，４９の間にあるので、ＬＥＤ９４の光Ｌは、乱反射した後に、ＬＥＤ９４から離れた位置から貫通孔４８，４９を通じて扉３（４）の前方に導出することができるので、いわゆる目玉感を減少するか無くすことができる。
【０１５２】
以上、本発明の実施形態を説明したが、実施形態は、例として提示したものであり、発
明の範囲を限定することは意図していない。新規な実施形態は、その他の様々な態様で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１５３】
図１に示す冷蔵庫１の構造は、一例であり、任意の構造を採用することができる。
【０１５４】
図示した扉３，４の前面板は、例えば鋼板製であるが特に限定されない。例えば、好ましくは、透光性を有するガラス板である前面板が、左右の扉３，４，と引出し式の扉７ａ，８ａ，９ａ，１０ａの各前面の全てに配置されるようにしてもよい。これにより、冷蔵庫１の外観デザイン上の見栄えをさらに高めることができる。
【０１５５】
操作部２０，２１は、扉３，４のいずれか一方だけに設けられても良い。冷蔵室５の扉３，４は、観音開き式扉であるが、１枚の片開き式の扉であってもよい。
【０１５６】
光反射部６０，６１，８０，８１は、平滑なミラー面ではなく、光拡散シート面、湾曲したミラー面、小さな凹凸のある反射面であってもよい。これにより、扉３（４）では、操作部２０（２１）は、光Ｌを拡散して光Ｌの濃淡を和らげて、扉３（４）の前方に向けて柔らかい光Ｌを照らすことができる。
【０１５７】
また、例えば図６の例において、光反射部８０，８１は、ＬＥＤ４４，４５と貫通孔４８，４９を囲むような照明部屋として設けて、この照明部屋の内面全体を明るくさせることで、扉３（４）から見て操作部２０（２１）では、表側からもＬＥＤ４４，４５を間接照明のように発光させて見えるようにしても良い。この場合、照明部屋の構造物である光反射部８０，８１は、ＬＥＤ４４，４５の光が反射し易いように、白系樹脂に光沢仕上げでテカリのある材料とするか、あるいは光反射部８０，８１の内面は、シボによる荒れた面にすることで乱反射させる。なお、図６の光反射部８０，８１の形状は、図６に示すような断面がＷ字型だけではなく、例えば船底型の平坦な部分を有する断面Ｕ字型であって
も良い。
【符号の説明】
【０１５８】
１      冷蔵庫
２      冷蔵庫本体
３，４  扉
２０，２１  操作部
４０    基板
４１    基板の表面（一方の面）
４２    基板の裏面（他方の面）
４４    ＬＥＤ
４５    ＬＥＤ
６０    光反射部
６１    光反射部
７０    被覆用の部材
８０    光反射部
８１    光反射部
８０Ａ  第１光反射面
８０Ｂ  第２光反射面
８１Ａ  第１光反射面
８１Ｂ  第２光反射面
９０    乱反射面
１６０  光反射部
１８０  光反射部
１８３  乱反射面
Ｌ      ＬＥＤの光（発光素子の光）
【図１】
2018128239.tif 000003
【図２】
2018128239.tif 000004
【図３】
2018128239.tif 000005
【図４】
2018128239.tif 000006
【図５】
2018128239.tif 000007
【図６】
2018128239.tif 000008
【図７】
2018128239.tif 000009
【図８】
2018128239.tif 000010
【図９】
2018128239.tif 000011
【図１０】
2018128239.tif 000012
【図１１】
2018128239.tif 000013
【図１２】
2018128239.tif 000014
【図１３】
2018128239.tif 000015
【図１４】
2018128239.tif 000016
【図１５】
2018128239.tif 000017